Podtech/llm-jp-corpus-v4-ja_patent huggingface dataset:
【手続補正書】
【提出日】平成17年1月7日(2005.1.7)
【手続補正１】
【補正対象書類名】明細書
【補正対象項目名】特許請求の範囲
【補正方法】変更
【補正の内容】
【特許請求の範囲】
【請求項１】
遊技盤面上に発射された遊技球が入球可能な入球装置と、
該入球装置に入球した遊技球が通過する球通路と、
該球通路の途中に前記入球装置に入球した遊技球を検出する検出装置と、
を備えた遊技機において、
前記検出装置の下流側の前記球通路内に前記入球装置に入球した遊技球の運動方向を縦方向から横方向に変化させる傾斜面を設け、
少なくとも前記傾斜面を緩衝部材で構成することを特徴とする弾球遊技機。
【請求項２】
前記入球装置の入口の直上部に前記入球装置に入球する遊技球の速度を減速させる減速部を設け、
該減速部の少なくとも一部を緩衝部材で構成することを特徴とする請求項１記載の弾球遊技機。
【請求項３】
前記緩衝部材として、低反発性の熱可塑性エラストマー又は粘弾性ゴムを用いることを特徴とする請求項１又は２記載の弾球遊技機。
【手続補正２】
【補正対象書類名】明細書
【補正対象項目名】０００４
【補正方法】変更
【補正の内容】
【０００４】
【課題を解決するための手段】
上記課題を解決するため、請求項１記載の発明は、遊技盤面上に発射された遊技球が入球可能な入球装置と、該入球装置に入球した遊技球が通過する球通路と、該球通路の途中に前記入球装置に入球した遊技球を検出する検出装置と、を備えた弾球遊技機において、前記検出装置の下流側の前記球通路内に前記入球装置に入球した遊技球の運動方向を縦方向から横方向に変化させる傾斜面を設け、少なくとも前記傾斜面を緩衝部材で構成することを特徴とする弾球遊技機である。
これにより、球通路内において、緩衝部材により遊技球の衝突による衝撃を和らげるため、球通路を形成する部材の破損を好適に防止すると共に、球通路内での遊技球の跳ね返りを好適に抑え、遊技球の流下を円滑にすることができる。さらに、破損を防止するための緩衝部材を用いたことによって通常期待される上記効果以外にも、検出装置の下流で遊技球が球通路に衝突したときに、検出装置を通過した遊技球が既に通過してきた領域（検出装置の方向）への跳ね返りを抑え、再度検出装置に接近させないようにするため、１度検出された遊技球が再び検出されるというチャタリングまでも防止し、遊技機の信頼性を向上させることができる。また、製造面からみても、入球装置内部の構造上で遊技球の跳ね返りを抑える場合に比べ、緩衝部材を用いた方が入球装置内の設計（例えば、球通路の傾斜の角度や曲がりの設計等）が容易である。
【手続補正３】
【補正対象書類名】明細書
【補正対象項目名】０００５
【補正方法】変更
【補正の内容】
【０００５】
「入球」とは、入球装置に遊技球が入球することであり、広義には入賞又は通過等を含むものである。従って、「入球装置」とは、賞球の有無や入球後の遊技球の状況を問わず遊技球が入球可能な装置であれば良い。例えば、普通電動役物や大入賞口等の入賞装置、又は図柄作動口等の通過装置もここに含まれる。
「球通路」とは、入球装置内で遊技球が通過する領域の他、入球した遊技球を遊技盤裏面へと誘導するときに遊技球が通過する領域、及び、賞球数が同一の複数の入賞口からの遊技球を同一の検出装置で検出するため等に、遊技球を遊技盤裏面で集合させて誘導するときに遊技球が通過する領域等も含むものである。この球通路の一態様としては、遊技球の進路を途中で変更する構造であることが挙げられる。例えば、下方に流下する遊技球を横方向に変更する場合等である。
「検出装置」とは、入球装置に入球した遊技球を検出するための装置であり、入球装置内の球通路、遊技球が遊技盤裏面へと誘導されるときに通過する球通路、又は遊技盤裏面の球通路等に設置されることが好ましい。従って、入球装置はそれ自体に検出装置を備えたもの、又は備えていないものいずれも含むものである。検出装置を備えていない入球装置においては、入球した遊技球は、遊技盤裏面へと誘導されるとき、又は遊技盤裏面を通過するときに球通路内に設置された検出装置により検出される構成となる。例えば、検出装置としてはスイッチ又はセンサ等が好ましく、検出方法は光学式、接触式等、何れでも良い。
「少なくとも前記傾斜面」とは、具体的には、前記傾斜面を含め、球通路のいずれか一部、複数箇所、又は球通路全体を緩衝部材で構成することを意味する。ここでは、特に検出装置よりも下流側の遊技球が衝突する頻度の高い領域の少なくとも一部を緩衝部材で構成することが好ましい。
【手続補正４】
【補正対象書類名】明細書
【補正対象項目名】０００６
【補正方法】変更
【補正の内容】
【０００６】
請求項２記載の発明は、前記入球装置の入口の直上部に前記入球装置に入球する遊技球の速度を減速させる減速部を設け、該減速部の少なくとも一部を緩衝部材で構成することを特徴とする請求項１記載の弾球遊技機である。
これにより、入球装置に対し外部から加わる衝撃を和らげることは勿論、特に入球装置内への入球前に遊技球の勢いを和らげることができるため、結果的に入球装置内での遊技球の衝突による衝撃を緩和できる。従って、入球装置の破損を好適に防止することができると共に、入球装置内での遊技球の跳ね返りを好適に防止することができる。このため、従来、遊技球の衝突による衝撃から入球装置の破損を防ぐために入球装置の直上部に設けていた遊技釘も不要にできる。
【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
遊技球発射用ハンドルを下部に設けた前面枠と、その前面枠の前面側を覆うように前記前面枠に対し開閉可能に軸支される開閉枠とを備えたパチンコ遊技機であって、
前記開閉枠の少なくとも前記遊技球発射用ハンドルに近接する部分に切り欠きを形成したことを特徴とするパチンコ遊技機。
【請求項２】
受皿と遊技球発射用ハンドルとを有する受皿ユニットを下部に設けた前面枠と、その前面枠の前記受皿ユニットを除く前面側を覆うように前記前面枠に対し開閉可能に軸支される開閉枠とを備えたパチンコ遊技機であって、
前記開閉枠下端部の少なくとも前記遊技球発射用ハンドルの上方に位置する部分に切り欠きを形成したことを特徴とするパチンコ遊技機。
【請求項３】
下受皿と遊技球発射用ハンドルとを有する受皿ユニットを下部に設けた前面枠と、その前面枠の前記受皿ユニットを除く前面側を覆うように前記前面枠に対し開閉可能に軸支されるとともに下部に上受皿を設けた開閉枠とを備えたパチンコ遊技機であって、
前記開閉枠下端部の少なくとも前記遊技球発射用ハンドルの上方に位置する部分に切り欠きを形成したことを特徴とするパチンコ遊技機。
【請求項４】
前記開閉枠は、前記前面枠の遊技領域を外部から視認させる窓部を有するとともにその窓部の下方に前記上受皿を一体的に設けた扉枠からなり、その扉枠下端部に前記切り欠きを形成したことを特徴とする請求項３に記載のパチンコ遊技機。
【手続補正書】
【提出日】平成16年7月1日(2004.7.1)
【手続補正１】
【補正対象書類名】明細書
【補正対象項目名】請求項２
【補正方法】変更
【補正の内容】
【請求項２】
上部に砂投入口１を備えかつ一端下部に砂試験器３０の砂受け位置に対向された砂取出し口２を備えた横向き筒状ホッパ３と、該筒状ホッパ３の砂取出し口２側に備えられて、回転されるスクリュ−状砂ほぐし器５と、該スクリュ−状砂ほぐし器５に対向する側に備えられて電動シリンダ６により作動されて筒状ホッパ３内の混練砂を押圧する押圧板７と、前記電動シリンダ６に電気的に接続されて該電動シリンダ６の砂押圧力に相当するトルクもしくはそれらに相当する電流を供給するドライバ８と、該ドライバ８のトルクもしくはそれに相当する電流を測定するトルク／電流検出手段９と、電動シリンダ６のトルクもしくはそれに相当する電流を予め設定した実験値と比較しながら前記電動シリンダ６のモ−タ回転数を変化させて押圧速度を調整するトルク／電流比較・回転数決定手段１０と、を具備したことを特徴とするサンプリング用砂の砂処理装置。
【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】
遊技用媒体の投入に伴って遊技を行なう遊技機であって、
前記投入された遊技用媒体を貯留する媒体貯留部と、
下部の少なくとも一部に前記遊技用媒体の通過が可能な大きさに形成された貫通孔を有する筐体と該筐体の前記貫通孔より上方または下方に着脱可能に取り付けられ前記貫通孔における前記遊技用媒体の通過を阻害する阻害部材とからなり、前記媒体貯留部からあふれる遊技用媒体を回収する回収箱と、
を内部に備える遊技機。
【請求項２】
請求項１記載の遊技機であって、
前記回収箱は、前記阻害部材を取り外したときに前記媒体貯留部からあふれる遊技用媒体を前記貫通孔に誘導する誘導部材を備え、
前記阻害部材は、前記誘導部材として機能する部材である
遊技機。
【請求項３】
請求項２記載の遊技機であって、
前記阻害部材は、前記筐体の底部から側面に向けて所定の角度を有するよう取り付けたとき、前記誘導部材として機能する部材であり、
前記筐体の底部は、前記阻害部材を所定の角度を有するよう取り付けたときに該阻害部材の取り付け位置を決める位置決め部が形成されてなる
遊技機。
【請求項４】
遊技用媒体の投入に伴って遊技を行なう遊技機の内部に配置され、前記投入された遊技用媒体を貯留する媒体貯留部からあふれる遊技用媒体を回収するための回収箱であって、
下部の少なくとも一部に前記遊技用媒体の通過が可能な大きさに形成された貫通孔を有する筐体と、
該筐体の前記貫通孔より上方または下方に着脱可能に取り付けられたときには前記貫通孔における前記遊技用媒体の通過を阻害する部材として機能し、前記貫通孔から取り外したときには前記媒体貯留部からあふれる遊技用媒体を前記貫通孔に誘導する部材として機能する阻害部材と、
を備える回収箱。
【請求項５】
請求項４記載の回収箱であって、
前記阻害部材は、前記筐体の底部から側面に向けて所定の角度を有するよう取り付けたとき、前記誘導部材として機能する部材であり、
前記筐体の底部は、前記阻害部材を所定の角度を有するよう取り付けたときに該阻害部材の取り付け位置を決める位置決め部が形成されてなる
回収箱。
【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
所定の可変表示手段において複数種の図柄を循環させて可変表示するとともに、該可変表示手段にて所定領域に停止された図柄が特定図柄である場合には特定遊技状態を付与するように構成した遊技機において、
前記可変表示手段は、外周面の周方向に複数種の図柄を順次付した少なくとも１つの回転体によって構成され、
前記回転体の内周側において、所定条件の成立に基づき表示対象を表示可能な対象表示手段を配置し、
前記回転体の周面の一部に、遊技者が前記表示対象を視認可能な少なくとも１つの視認領域を設けたことを特徴とする遊技機。
【請求項２】
複数の前記対象表示手段が前記回転体の周方向に沿って配置されていることを特徴とする請求項１に記載の遊技機。
【請求項３】
前記可変表示手段は、複数の前記回転体が併設されたものであって、
前記所定領域として、前記各回転体に付された前記図柄が停止可能な位置を結ぶ複数の有効ラインが設定され、
所定条件の成立に基づき、前記各回転体の視認領域が前記有効ラインに並んで停止可能なように構成されるとともに、
前記視認領域がいずれの前記有効ラインにおいても停止可能なように構成されていることを特徴とする請求項２に記載の遊技機。
【請求項４】
前記対象表示手段は、複数種の表示対象を可変表示可能なものであることを特徴とする請求項１乃至３のいずれかに記載の遊技機。
【請求項５】
遊技者に遊技価値を付与可能な遊技価値付与手段を備え、
少なくとも前記複数種の図柄のうち所定図柄が前記一有効ライン上に並んで停止した場合に、前記遊技価値付与に関する制御信号を前記遊技価値付与手段へ出力し、当該遊技価値付与手段に遊技価値付与を実行させる第１特定制御手段を備え、
前記対象表示手段は、複数種の表示対象を可変表示可能に構成され、
前記対象表示手段を表示制御する第２特定制御手段を備え、
前記第２特定制御手段は、
前記複数種の表示対象を記憶する表示対象記憶手段と、
所定条件の成立に基づき前記対象表示手段に表示する表示対象を抽選する表示対象抽選手段とを備えるとともに、
当該抽選結果に基づき、前記対象表示手段に前記表示対象を表示させるよう構成され、
少なくとも前記一有効ラインに対応して並んだ前記各対象表示手段にそれぞれ所定の前記表示対象を表示した場合には、その旨を所定の制御信号として前記第１特定制御手段へ出力するよう構成され、
当該制御信号を入力した前記第１特定制御手段は、前記遊技価値付与に関する制御信号を前記遊技価値付与手段へ出力し、当該遊技価値付与手段に遊技価値付与を実行させるよう構成されていることを特徴とする請求項３に記載の遊技機。
【請求項６】
前記対象表示手段は、前記複数種の図柄の少なくとも１つに対応し、かつ、当該図柄の視覚的特徴を有する前記表示対象を表示可能とすることを特徴とする請求項１乃至５のいずれかに記載の遊技機。
【請求項７】
前記視認領域は、前記複数種の図柄のうち少なくとも１つの一部に画定されていることを特徴とする請求項１乃至６のいずれかに記載の遊技機。
【請求項８】
前記対象表示手段は、複数の発光体により構成された表示部を有する電気的表示手段であることを特徴とする請求項１乃至７のいずれかに記載の遊技機。
【手続補正書】
【提出日】平成17年1月12日(2005.1.12)
【手続補正１】
【補正対象書類名】明細書
【補正対象項目名】特許請求の範囲
【補正方法】変更
【補正の内容】
【特許請求の範囲】
【請求項１】
塗布液を塗布するための塗布装置であって、塗布液供給部から該装置に塗布液を供給するための、装置幅方向に少なくとも２個所設けられた供給配管と、該供給配管に連通された整流スリット部と、該整流スリット部に連通されたマニホールド部と、該マニホールド部に連結され、塗布液を吐出する吐出用スリット部とを有し、前記供給配管が開口度を調節するためのバルブを備えていることを特徴とする塗布装置。
【請求項２】
前記整流スリット部、マニホールド部および吐出用スリット部が、下記式（１）、
０＜Ｙ−（Ｘ／ｔａｎα）                    （１）
（式中、ＸおよびＹは、夫々、マニホールド部における吐出用スリット部形成位置と整流スリット部形成位置との間の装置奥行き方向距離および装置高さ方向距離であり、αは吐出用スリット部の吐出方向と整流スリット部の放出方向とがなす角度である）
で表される関係を満足するよう配置されている請求項１記載の塗布装置。
【請求項３】
磁気記録媒体の製造において、磁性塗布液、非磁性塗布液およびバックコート塗布液を塗布するために用いられる請求項１または２記載の塗布装置。
【請求項４】
塗布液を塗布する押し出し塗布方法において、請求項１〜３のうちいずれか一項記載の塗布装置を用い、少なくとも２個所の前記供給配管の開口度を前記バルブにより調節して塗布することを特徴とする塗布方法。
【請求項５】
オンライン膜厚計の測定値に基づいて、前記供給配管の選択および前記開口度の調節を行う請求項４記載の塗布方法。
【請求項６】
乾燥後の膜厚が０．３μｍ以下の超薄層塗布を行う場合において、前記オンライン膜厚計として波長分散型蛍光Ｘ線装置を用いる請求項５記載の塗布方法。
【手続補正書】
【提出日】平成17年1月5日(2005.1.5)
【手続補正１】
【補正対象書類名】明細書
【補正対象項目名】０００３
【補正方法】変更
【補正の内容】
【０００３】
このような連続式混練機を用いた方法として、特開平０８−２２４７３５号公報では、最上流に位置する液体供給部での混練機内部が飢餓状態であり、かつ液体供給部から供給された液体と高分子物質との混練を最初に行う部分での混練機内部が飢餓状態となる混練方法が開示されている。ところが、このような方法では、混練部分の飢餓状態の変動により混練状態が左右され高分子物質−液体混練系の品質均一性に劣っていたり、連続式混練機先端の昇圧部分の上流側において少なくとも１つの高分子混練物充満部分を設けていないため高分子物質の未溶融物が多数含まれたりしていた。同様の方法にてポリオレフィンと液体との混練については、特開平８−２４５７９９号公報、分子量１００万以上の成分を含有するポリオレフィン樹脂については特開平８−２４５７９８号公報等が開示されているが、同様に未溶融物の含有性、品質の均一性に問題があった。
また、特開平８−１２００９３号公報にはポリオレフィン樹脂供給部と最上流に位置する液体供給部の間の少なくとも一部における混練機内圧を最上流に位置する液体供給部における混練機内圧より大きくなるように設定する方法が開示されている。この方法においては高分子の塊が一旦押出機の中で形成されるために、これも液体の均一分散性に問題があるものだった。
【手続補正書】
【提出日】平成16年12月28日(2004.12.28)
【手続補正１】
【補正対象書類名】明細書
【補正対象項目名】００１２
【補正方法】変更
【補正の内容】
【００１２】
［請求項４の発明］
サブフレームが上下方向に往復駆動させる場合、駆動に伴う慣性力とサブフレームに作用する重力とによって、サブフレームが下死点で折り返すときは駆動手段における負荷が過大になることが懸念されるが、サブフレームは下から緩衝手段によって支えられるので、駆動手段における負荷が軽減される。
［請求項５の発明］
切断線の線径や長さなどにバラツキがあっても、全ての切断線の張力を均一にして、均一な切断を行うことができる。切断線に対する張力付与手段としてのエアシリンダを、サブフレームに設けたので、切断線と張力付与手段とを一括して交換することができる。
【手続補正書】
【提出日】平成16年12月24日(2004.12.24)
【手続補正２】
【補正対象書類名】明細書
【補正対象項目名】特許請求の範囲
【補正方法】変更
【補正の内容】
【特許請求の範囲】
【請求項１】
スライド式灰皿（１）と皿受け匚（１８）との所要位置に、タバコの消火・吸い殻の収容・灰燼の清掃をなす機構を設けると共に、灰皿内部を遮蔽する蓋を灰皿（１）の開口部に被せ、上記機構を灰皿（１）の開閉を利用して連動させ機能させるもので、喫煙後、消火孔（１０）に挿入し吸い殻となったタバコを、灰皿（１）を閉めることにより、消火孔（１０）を有する消火収容体（１３）が灰皿内部へと運び込み、同時に皿受け匚（１８）に設けたヘッドブラシ（２３）を回転させ、該ヘッドブラシ（２３）により消火孔（１０）の吸い殻を皿底へと押し出し、且つ、消火孔（１０）及び挿入口（３５）に付着した灰燼を除去し清掃するとした自動車用灰皿。
【手続補正書】
【提出日】平成16年12月2日(2004.12.2)
【手続補正１】
【補正対象書類名】明細書
【補正対象項目名】特許請求の範囲
【補正方法】変更
【補正の内容】
【特許請求の範囲】
【請求項１】
除去可能な封止シールを有する容器に関して、前記封止シールを除去する封止シール除去装置であって、
前記容器を収容して取り外し可能に保持するようになっている容器パッケージングと、
前端と後端とを有する前記封止シールと、
前記封止シールと前記容器パッケージングとを結合するコネクタと
を備える封止シール除去装置。
【請求項２】
前記コネクタと前記封止シールとに取り付けられたコネクタ延長部をさらに備える、請求項１に記載の封止シール除去装置。
【請求項３】
容器から封止シールを除去する封止シール除去装置であって、
前端および後端を有する封止シールを備える容器と、
前記容器を取り外し可能に収容するようになっている容器パッケージと、
前記容器パッケージに結合したコネクタと、
前記コネクタと前記封止シールとに取り付けられたコネクタ延長部と
を備える封止シール除去装置。
【請求項４】
前記コネクタは、前記容器パッケージの取外し端と前記封止シールの前記前端とに結合している、請求項３に記載の封止シール除去装置。
【請求項５】
前記コネクタは前記容器パッケージの閉鎖端に結合し、前記コネクタ延長部は前記封止シールの前記前端に結合している、請求項３に記載の封止シール除去装置。
【請求項６】
封止シールを有するトナーカートリッジを利用するシステムに関して、前記封止シールを除去する封止シール除去装置であって、
第１の端と第２の端とを有する除去可能な封止シールで覆われた開口部を有するトナーカートリッジ容器と、
前記トナーカートリッジ容器を収容して取り外し可能に保持するようになっているトナーカートリッジ容器パッケージと、
前記トナーカートリッジ容器パッケージに結合した、除去可能な封止シールと
を備える封止シール除去装置。
【請求項７】
前記除去可能な封止シールへのコネクタ延長部をさらに備える、請求項６に記載の封止シール除去装置。
【請求項８】
容器から封止シールを除去する封止シール除去方法であって、
前記容器を収容して取り外し可能に保持するようになっている容器パッケージングを作成するステップと、
第１の端と第２の端とを有する封止シールを備える前記容器を、前記容器パッケージングに挿入するステップと、
前記容器パッケージングを、前記封止シールの前記第１の端に結合するステップと、
前記容器パッケージングを閉じるステップと、
前記容器パッケージングを開けるステップと、
前記容器パッケージングから前記容器を取り外し、それによって前記容器から前記封止シールを除去するステップと
を備える封止シール除去方法。
【請求項９】
前記封止シールの前記第１の端にコネクタ延長部を付け足すステップをさらに含む、請求項８に記載の封止シール除去方法。
【請求項１０】
除去可能なトナーダムを有するトナーカートリッジを利用するシステムに関して前記トナーダムを除去するトナーダム除去方法であって、
トナーダムを有する前記トナーカートリッジを収容して保持するようになっているトナーパッケージを準備するステップと、
前記トナーダムと前記トナーパッケージとを結合するステップと、
前記トナーカートリッジを前記トナーパッケージに挿入し、前記トナーカートリッジの出荷用に前記トナーパッケージを封止するステップと、
前記トナーパッケージを開けるステップと、
前記トナーパッケージから前記トナーカートリッジを取り外し、それによって前記トナーダムを除去するステップと
を備えるトナーダム除去方法。
【手続補正書】
【提出日】平成16年6月28日(2004.6.28)
【手続補正１】
【補正対象書類名】明細書
【補正対象項目名】特許請求の範囲
【補正方法】変更
【補正の内容】
【特許請求の範囲】
【請求項１】
所定の間隔をあけて順次供給される被包装物を内包して長尺状の筒形にヒートシールされた包装用フィルムを、先行する被包装物の後方と後続の被包装物の前方においてヒートシールすると共に分断するエンドシール装置であって、
筒形に形成された包装用フィルムの外方から、包装用フィルムと交差するよう往復動可能に設けられ、包装用フィルムを閉じる方向に押圧するガイド部を備え、包装用フィルムの送り出し方向に並列して設けられた２つの折り込みガイドと、
包装用フィルムを挟んで前記折り込みガイドの反対側位置の包装用フィルムの外方から包装用フィルムに挿入可能に、かつ前記各々の折り込みガイドと交差するよう、往復動可能に包装用フィルムの送り出し方向に並列して設けられた２つの折り込み爪とを備え、
包装用フィルムをヒートシールする際に、先行する被包装物と後続の被包装物との中間位置で、
前記２つの折り込みガイドが、前記ガイド部により包装用フィルムを閉じる方向に移動すると共に、
前記２つの折り込み爪が、前記各々の折り込みガイドよりも先行する被包装物側と後続の被包装物側に各々偏位した位置で、爪部が前記折り込みガイドと互いに交差する位置まで移動して、包装用フィルムを先行する被包装物の後方と後続の被包装物の前方で折り込み、
前記２つの折り込みガイドの間に保持された包装用フィルムをヒートシールし、分断することを特徴とするエンドシール装置。
【請求項２】
前記ガイド部は、断面Ｕ字形に形成されていることを特徴とする請求項１記載のエンドシール装置。
【請求項３】
前記折り込み爪は、複数の押さえ棒を有したフォーク形に形成されていることを特徴とする請求項１または２記載のエンドシール装置。
【請求項４】
包装用フィルムの搬送手段、包装用フィルムの端縁をシールする回転シール装置及び包装用フィルムを幅方向にシールして個片の包装体とするエンドシール装置を備えた包装機であって、
前記エンドシール装置として請求項１、２または３記載のエンドシール装置を備えたことを特徴とする包装機。
【請求項５】
包装用フィルムの搬送手段、包装用フィルムの端縁をシールする回転シール装置及び包装用フィルムを幅方向にシールして個片の包装体とするエンドシール装置を備えた包装機によって密封包装された包装体であって、
被包装物の前方と後方の両端部で被包装物の下部側へ向けて被包装物の形状に倣うように延びるシール部が設けられていることを特徴とする包装体。
【請求項６】
請求項４記載の包装機によって密封包装された包装体であって、
被包装物の前方と後方の両端部で被包装物の下部側へ向けて被包装物の形状に倣うように延びるシール部が設けられていることを特徴とする包装体。
【手続補正２】
【補正対象書類名】明細書
【補正対象項目名】００１０
【補正方法】変更
【補正の内容】
【００１０】
また、本発明の包装体は、前記包装機によって密封包装され、被包装物の前方と後方の両端部で被包装物の下部側へ向けて被包装物の形状に倣うように延びるシール部が設けられていることを特徴とし、包装用フィルムが球形状の被包装物に沿ってフィットし、見た目にも美しい包装体を提供できる。
また、本発明は、包装用フィルムの搬送手段、包装用フィルムの端縁をシールする回転シール装置及び包装用フィルムを幅方向にシールして個片の包装体とするエンドシール装置を備えた包装機によって密封包装された包装体であって、被包装物の前方と後方の両端部で被包装物の下部側へ向けて被包装物の形状に倣うように延びるシール部が設けられていることを特徴とする包装体でもある。
【手続補正書】
【提出日】平成16年12月21日(2004.12.21)
【手続補正１】
【補正対象書類名】明細書
【補正対象項目名】特許請求の範囲
【補正方法】変更
【補正の内容】
【特許請求の範囲】
【請求項１】
ゲートフレームの側壁間に手摺杆取付軸を差渡し、その手摺杆取付軸に手摺杆の基端を軸支し、その下方のゲートフレームの側壁に設けた軸受孔に、プラットホームの基端を軸支する基端軸を軸受けすると共に、手摺杆の基端より先端側に離隔して設けた支軸と、プラットホームの基端より先端側に離隔して設けた作動軸の夫々をゲートフレームの枠内に配置し、その手摺杆の支軸と、プラットホームの作動軸に連杆を連結し、上下を関連回動することを特徴とする車両用昇降装置における自動起伏手摺装置。
【請求項２】
プラットホームの基端を軸支する基端軸よりプラットホームの先端側へ所要の距離を離隔して取付けた作動軸をゲートフレームの側壁の開孔よりゲートフレームに差込み、その作動軸に、上端がゲートフレームに連結されるプラットホーム原動機の下端と、上端が手摺杆より先端側に離隔して設けた支軸と連結された連杆の下端を夫々連結して基端軸を中心にプラットホームを垂直起立格納位置と水平伏倒昇降位置に回動するとき、連動して手摺杆を同じく垂直起立格納位置と水平使用位置に回動することを特徴とする請求項１の車両用昇降装置における自動起伏手摺装置。
【手続補正２】
【補正対象書類名】明細書
【補正対象項目名】０００４
【補正方法】変更
【補正の内容】
【０００４】
【課題を解決するための手段】
ゲートフレームの側壁間に手摺杆取付軸を差渡し、その手摺杆取付軸に手摺杆の基端を軸支し、その下方のゲートフレームの側壁に設けた軸受孔に、プラットホームの基端を支軸する基端軸を軸受けすると共に、手摺杆の基端より先端側に離隔して設けた支軸と、プラットホームの基端より先端側に離隔して設けた作動軸の夫々をゲートフレームの枠内に配置し、その手摺杆の支軸と、プラットホームの作動軸に連杆を連結し、上下を関連回動することを特徴とする車両用昇降装置における自動起伏手摺装置にある。
【手続補正３】
【補正対象書類名】明細書
【補正対象項目名】０００５
【補正方法】変更
【補正の内容】
【０００５】
プラットホームの基端を軸支する基端軸よりプラットホームの先端側へ所要の距離を離隔して取付けた作動軸をゲートフレームの側壁の開孔よりゲートフレームに差込み、その作動軸に、上端がゲートフレームに連結されるプラットホーム原動機の下端と、上端が手摺杆より先端側に離隔して設けた支軸と連結された連杆の下端を夫々連結して基端軸を中心にプラットホームを垂直起立格納位置と水平伏倒昇降位置に回動するとき、連動して手摺杆を同じく垂直起立格納位置と水平使用位置に回動してもよいものである。
【手続補正書】
【提出日】平成17年4月27日(2005.4.27)
【手続補正１】
【補正対象書類名】明細書
【補正対象項目名】特許請求の範囲
【補正方法】変更
【補正の内容】
【特許請求の範囲】
【請求項１】
静止側周面に静止側軌道を有し、使用時にも回転しない静止輪と、回転側周面に回転側軌道を有し、使用時に回転する回転輪と、上記静止側軌道と回転側軌道との間に転動自在に設けた複数個の転動体と、上記静止輪の一端開口部に被着してこの一端開口部を塞ぐ金属製のカバーと、上記回転輪の一部でこのカバーに対向する部分に、この回転輪と同心に支持した、円周方向に亙り特性を交互に且つ等間隔に変化させたエンコーダと、上記カバーの一部でこのエンコーダと対向する部分に設けた通孔と、この通孔を挿通した状態で上記カバーの一部に支持固定し、上記エンコーダの回転に伴って出力を変化させるセンサとを備えた回転速度検出装置付転がり軸受ユニットに於いて、上記カバーの一部で上記通孔に隣接する部分には、このカバーの内外を連通する雌ねじが形成されており、上記センサを保持するホルダは、上記通孔に挿通される挿入部を備えた本体と、この本体の外周面に固設したフランジ部とを備えており、この挿入部を上記通孔に挿通した状態で、このフランジ部に形成した第二の通孔を挿通したねじを上記雌ねじに螺合し更に緊締する事により、上記センサを上記カバーに対し固定しており、上記本体が上記通孔を挿通している部分、並びに上記ねじが挿通している部分を通じて、上記カバー外に存在する異物がこのカバー内に進入するのを防止する為のシール部材を設けている事を特徴とする回転速度検出装置付転がり軸受ユニット。
【請求項２】
ねじがフランジ付ボルトであって、このねじの頭部に隣接して設けたフランジとカバーとの間でシール部材を挟持している、請求項１に記載した回転速度検出装置付転がり軸受ユニット。
【手続補正２】
【補正対象書類名】明細書
【補正対象項目名】０００４
【補正方法】変更
【補正の内容】
【０００４】
又、上記ハブ２の外端部（自動車への組み付け状態で幅方向外側となる端部を言い、図５の右端部）で上記外輪１の外端部から軸方向外方に突出した部分に、車輪を取り付ける為のフランジ１１を設けている。又、上記外輪１の内端部（自動車への組み付け状態で幅方向中央側となる端部を言い、図５の左端部）に、この外輪１を懸架装置に取り付ける為の取付部１２を設けている。又、上記外輪１の外端部内周面と上記ハブ２の中間部外周面との間にはシールリング１３を設けて、上記各転動体９、９を設置した空間３０の外端開口部を塞いでいる。尚、重量の嵩む自動車用の転がり軸受ユニットの場合には、上記複数個の転動体９、９として、図示の様な玉に代えて、テーパころを使用する場合もある。
【手続補正３】
【補正対象書類名】明細書
【補正対象項目名】００１０
【補正方法】変更
【補正の内容】
【００１０】
【課題を解決するための手段】
本発明の回転速度検出装置付転がり軸受ユニットは、前述した従来の回転速度検出装置付転がり軸受ユニットと同様に、静止側周面に静止側軌道を有し、使用時にも回転しない静止輪と、回転側周面に回転側軌道を有し、使用時に回転する回転輪と、上記静止側軌道と回転側軌道との間に転動自在に設けた複数個の転動体と、上記静止輪の一端開口部に被着してこの一端開口部を塞ぐ金属製のカバーと、上記回転輪の一部でこのカバーに対向する部分に、この回転輪と同心に支持した、円周方向に亙り特性を交互に且つ等間隔に変化させたエンコーダと、上記カバーの一部でこのエンコーダと対向する部分に設けた通孔と、この通孔を挿通した状態で上記カバーの一部に支持固定し、上記エンコーダの回転に伴って出力を変化させるセンサとを備える。
【手続補正４】
【補正対象書類名】明細書
【補正対象項目名】００１１
【補正方法】変更
【補正の内容】
【００１１】
特に、本発明の回転速度検出装置付転がり軸受ユニットに於いては、上記カバーの一部で上記通孔に隣接する部分に、このカバーの内外を連通する雌ねじを形成している。又、上記センサを保持するホルダは、上記通孔に挿通される挿入部を備えた本体と、この本体の外周面に設けられたフランジ部とを備えている。そして、この挿入部を上記通孔に挿通した状態で、このフランジ部に形成した第二の通孔を挿通したねじを上記雌ねじに螺合し更に緊締する事により、上記センサを上記カバーに対し固定している。更に、上記本体が上記通孔を挿通している部分、並びに上記ねじが挿通している部分を通じて、上記カバー外に存在する異物がこのカバー内に進入するのを防止する為のシール部材を設けている。
【手続補正５】
【補正対象書類名】明細書
【補正対象項目名】００１２
【補正方法】変更
【補正の内容】
【００１２】
【作用】
上述の様に構成する本発明の回転速度検出装置付転がり軸受ユニットが、自動車の懸架装置に対して車輪を回転自在に支持すると共に、この車輪の回転速度を検出する際の作用は、前述した従来構造の場合と同様である。
特に、本発明の回転速度検出装置付転がり軸受ユニットの場合には、センサの修理、交換の手間を軽減すべく、このセンサをカバーにねじ止め結合する構造を採用して、しかもこのカバーに対するセンサの組み付け作業性を向上できる。即ち、このセンサを上記カバーにねじ止め結合固定する場合、先ず、上記センサの本体部分に設けた挿入部を、上記カバーに設けた通孔に挿入する。そして、上記カバーに設けた雌ねじとセンサに設けたフランジ部に設けた第二の通孔とを整合させた状態で、この第二の通孔を挿通したねじを上記雌ねじに螺合し更に緊締する。
【手続補正書】
【提出日】平成17年6月17日(2005.6.17)
【手続補正１】
【補正対象書類名】明細書
【補正対象項目名】０００３
【補正方法】変更
【補正の内容】
【０００３】
そして、ブーム３の先端部（上ブーム３ｂの先端部）と作業台４との間には、作業台４をブーム３の起伏または屈伸にかかわらず水平に維持するレベリング装置が取り付けられている。このレベリング装置は、作業題を上下方向に揺動させるための揺動アクチュエータ５、揺動アクチュエータ５の駆動を制御する駆動制御手段６、および、駆動制御手段６を作動させるレベリング制御手段７（図３参照）とで構成されている。レベリング制御手段７は、図３に示すように、ブーム３の姿勢を検出するブーム姿勢検出手段８と、ブーム３先端に対する作業台４の傾斜を検出する揺動角検出手段９と、これら両検出手段８，９からの検出値からブーム３の姿勢変更にかかわらず作業台４の対地姿勢を一定に維持させる制御信号を演算算出して前記駆動制御手段６へ出力する制御信号出力部１０とで構成している。
【手続補正２】
【補正対象書類名】明細書
【補正対象項目名】０００６
【補正方法】変更
【補正の内容】
【０００６】
前記制御信号出力部１０は、ブーム姿勢検出手段８の検出信号（起伏角検出手段８ａおよび屈伸角検出手段８ｂの検出信号θ１およびθ２）、および、揺動検出手段９の検出信号θ３を用いて、ブーム３の姿勢変更にかかわらず作業台４の対地姿勢を一定に維持させるための制御信号を演算算出して前記駆動制御手段６へ出力するよう構成している。
【手続補正３】
【補正対象書類名】明細書
【補正対象項目名】０００８
【補正方法】変更
【補正の内容】
【０００８】
このように構成したレベリング装置は、ブーム姿勢検出手段８および揺動角検出手段９が、ブーム３の姿勢変更（起伏または屈伸）状況および作業台４の傾斜角）を即座に検出し、これを制御信号出力部１０に伝えるので、ブーム３の姿勢変更に即応したレベリング制御ができるというメリットがあるものの、ブーム３の撓みに基づく作業台４の傾きが補正されないという問題がある。
【手続補正書】
【提出日】平成16年2月20日(2004.2.20)
【手続補正１】
【補正対象書類名】明細書
【補正対象項目名】特許請求の範囲
【補正方法】変更
【補正の内容】
【特許請求の範囲】
【請求項１】
昇降路内に設置された巻上機と、この巻上機の綱車に巻掛けたロープを介して前記昇降路内を昇降する乗かごを有するエレベーター装置において、前記綱車を駆動するモータの回転枠に、前記綱車を着脱可能に取付けたことを特徴とするエレベーター装置。
【請求項２】
ロープを介して昇降路内を昇降する乗かごと、前記ロープが巻掛けられる綱車と、この綱車を駆動するモータを有するエレベーター装置において、前記モータの回転枠の反固定枠側に、前記綱車が着脱可能に取付けられていることを特徴とするエレベーター装置。
【請求項３】
ロープを介して昇降路内を昇降する乗かごと、前記ロープが巻掛けられる綱車と、この綱車を駆動するモータを有するエレベーター装置において、前記モータの有底筒体状の回転枠の反固定枠側に、前記綱車を着脱可能に取付け、この綱車の外径を前記モータの外径よりも小さくしたことを特徴とするエレベーター装置。
【請求項４】
昇降路の上部に設置された支持台に支持された巻上機と、この巻上機の綱車に巻掛けたロープを介して前記昇降路内を昇降する乗かごを有するエレベーター装置において、モータの軸を片持ち支持する固定枠と、有底筒体状に形成された回転枠を備え、この回転枠の底部の反固定枠側に前記綱車を着脱可能に取付け、この綱車の外径を前記モータの外径よりも小さくし、前記回転枠の周壁に対向するように制動機を配置したことを特徴とするエレベーター装置。
【請求項５】
請求項１乃至４のいずれかにおいて、前記綱車が、前記回転枠とは異なる材料で形成されていることを特徴とするエレベーター装置。
【請求項６】
請求項１乃至５のいずれかにおいて、前記綱車を貫通するボルトによって前記モータの回転枠に前記綱車が取付けられることを特徴とするエレベーター装置。
【請求項７】
請求項１乃至６のいずれかにおいて、ロープ溝と同心の取付穴を前記綱車に設け、この取付穴を前記モータの回転枠に嵌着させて取付けたことを特徴とするエレベーター装置。
【手続補正２】
【補正対象書類名】明細書
【補正対象項目名】０００５
【補正方法】変更
【補正の内容】
【０００５】
【課題を解決するための手段】
本発明は上記目的を達成するために、昇降路内に設置された巻上機と、この巻上機の綱車に巻掛けたロープを介して前記昇降路内を昇降する乗かごを有するエレベーター装置において、前記綱車を駆動するモータの回転枠に、前記綱車を着脱可能に取付けたのである。
【手続補正書】
【提出日】平成17年5月30日(2005.5.30)
【手続補正１】
【補正対象書類名】明細書
【補正対象項目名】０００８
【補正方法】変更
【補正の内容】
【０００８】
このように構成した本発明に係る作業車の安全装置によれば、例え、作業機２で作業をしている途中に誤ってミッション５がシフト位置（中立位置以外の位置）にシフトされた場合でも、中立位置検出手段１５及び操作検出手段１６からの検出信号で駆動禁止手段１７が作動し、操作手段１０ａによる駆動制御弁１０の切換操作が不能となり、アウトリガジャッキ３，３の格納駆動が自動的に不能となるので、車両１が逸走する事態が未然に防止されるのである。
【手続補正２】
【補正対象書類名】明細書
【補正対象項目名】００１１
【補正方法】変更
【補正の内容】
【００１１】
本発明の作業車の安全装置は、ミッション５のシフト位置が中立にあることを検出する中立位置検出手段１５、アウトリガジャッキ３，３の駆動制御弁１０を切換操作するための操作手段１０ａが操作されたことを検出する操作検出手段１６、及びアウトリガジャッキ３，３の駆動を禁止する駆動禁止手段１７で構成されている。
【手続補正３】
【補正対象書類名】明細書
【補正対象項目名】００１７
【補正方法】変更
【補正の内容】
【００１７】
【発明の効果】上記した本発明の作業車の安全装置によれば、例え、作業機２で作業をしている途中に誤ってミッション５がシフト位置（中立位置以外の位置）にシフトされた場合でも、中立位置検出手段１５及び操作検出手段１６からの検出信号で駆動禁止手段１７が作動し、操作手段１０ａによる駆動制御弁１０の切換操作が不能となり、アウトリガジャッキ３，３の格納駆動が自動的に不能となるので、車両１が逸走する事態が未然に防止されるのである。
【手続補正書】
【提出日】平成17年5月16日(2005.5.16)
【手続補正１】
【補正対象書類名】明細書
【補正対象項目名】０００４
【補正方法】変更
【補正の内容】
【０００４】
次に、図４に基づき、アクチュエータとして比例ソレノイドバルブを使用したサスペンション制御装置を説明する。図中１はコントローラであり、２はこのコントローラ１によって制御されるアクチュエータである。また、２Ａは、一端が電源端子９およびイグニッションスイッチ（図示せず）を介して電源９Ａ（バッテリ、オルタネータ等）に接続され、他端がコントローラ１に接続されたリレー回路である。コントローラ１とアクチュエータ２とは、コネクタ１ｃ，１ｄとコネクタ２ｃ，２ｄによって配線を介して接続され、コントローラ１とリレー回路２Ａとは、コネクタ１ａ，１ｂとコネクタ２ａ，２ｂによって配線を介して接続されている。
【手続補正２】
【補正対象書類名】図面
【補正対象項目名】図４
【補正方法】変更
【補正の内容】
【図４】
2000016043.tif 000001
【手続補正書】
【提出日】平成17年7月6日(2005.7.6)
【手続補正１】
【補正対象書類名】明細書
【補正対象項目名】特許請求の範囲
【補正方法】変更
【補正の内容】
【特許請求の範囲】
【請求項１】
周面に静電潜像が形成される像担持体を備えた装置本体と、
この装置本体内に配置され、指示信号にもとづいて上記像担持体に向けて用紙を１枚づつ給出する給紙手段を具備した画像形成装置において、
上記給紙手段は、装置本体に対して出し入れ自在に収容され、
この給紙手段に、上記装置本体からの給紙手段の取出しと連動して、給紙途中で詰まった用紙を自由解放する紙詰まり解除手段が付設されることを特徴とする画像形成装置。
【請求項２】
周面に静電潜像が形成される像担持体を備えた装置本体と、
この装置本体内に配置され、指示信号にもとづいて上記像担持体に向けて用紙を１枚づつ給出する給紙手段を具備した画像形成装置において、
上記給紙手段は、装置本体側面部に用紙補充用のドアを備え、
上記給紙手段に、上記用紙補充用のドアの開放と連動して、給紙途中で詰まった用紙を自由解放する紙詰まり解除手段が付設されることを特徴とする画像形成装置。
【請求項３】
周面に静電潜像が形成される像担持体を備えた装置本体と、
この装置本体内に配置され、互いに転接する給紙ローラと分離ローラを備え、上記像担持体に向けて用紙を１枚づつ手差しによって給出する手差し用給紙装置を具備した画像形成装置において、
上記手差し用給紙装置は、
上記装置本体外装のドアの開閉に連動して給紙ローラから分離ローラを離間させ、給紙途中で詰まった用紙を自由解放する紙詰まり解除手段が付設されることを特徴とする画像形成装置。
【手続補正２】
【補正対象書類名】明細書
【補正対象項目名】００１８
【補正方法】変更
【補正の内容】
【００１８】
上記目的を満足するためさらに他の発明の画像形成装置は、請求項３として、周面に静電潜像が形成される像担持体を備えた装置本体と、この装置本体内に配置され、互いに転接する給紙ローラと分離ローラを備え、上記像担持体に向けて用紙を１枚づつ手差しによって給出する手差し用給紙装置を具備した画像形成装置において、上記手差し用給紙装置は、上記装置本体外装のドアの開閉に連動して給紙ローラから分離ローラを離間させ、給紙途中で詰まった用紙を自由解放する紙詰まり解除手段が付設されることを特徴とする。
このような課題を解決する手段を採用することにより、画像形成装置において紙詰まりが生じても、詰まった用紙をそのまま破断することなく、極く容易に取出すことができる。
【手続補正３】
【補正対象書類名】明細書
【補正対象項目名】００２８
【補正方法】変更
【補正の内容】
【００２８】
上記加圧解除機構３０の構成部品を支持するユニットフレーム３１は大容量給紙装置１５に取付けられ一体となっている。このユニットフレーム３１には第１のピン３２が植設され、これはほぼ三角状をなす回動レバー３３の頂点部分に設けられる孔部３３ａに挿通される。したがって、回動レバー３３は第１のピン３２を支点として水平方向に回動自在に支持されることになる。
【手続補正４】
【補正対象書類名】明細書
【補正対象項目名】００３６
【補正方法】変更
【補正の内容】
【００３６】
しかして、原稿載置台１０に原稿Ｗをセットしてコピースイッチをオンすると、光学系８が原稿面を露光走査して、露光部４において感光体ドラム１の周面に原稿像が結像される。
【手続補正５】
【補正対象書類名】明細書
【補正対象項目名】００４７
【補正方法】変更
【補正の内容】
【００４７】
その作業としては、大容量給紙装置１５を複写機本体Ｓから引き出すだけである。すると、この大容量給紙装置１５に付設される加圧解除機構３０が作用して給紙ローラ５０から分離ローラ５１を離間させ、ここに挟持していた用紙部分を自由開放する。
【手続補正６】
【補正対象書類名】明細書
【補正対象項目名】００４８
【補正方法】変更
【補正の内容】
【００４８】
なお説明すると、大容量給紙装置１５の引き出しにともなって、この装置１５と一体の加圧解除機構３０を構成するユニットフレーム３１が移動する。したがって、上記機構３０の回動レバー３３が本体フレームＳａから離間する。本体フレームＳａの回動レバー３３に対する回動付勢力が解除されるので、リンク３５を介して引張りばね３６の弾性付勢力が回動レバー３３に作用し、このレバー３３は時計回り方向に回動変位する。
【手続補正７】
【補正対象書類名】明細書
【補正対象項目名】００５５
【補正方法】変更
【補正の内容】
【００５５】
図６に示すように、上記用紙補充用ドア６１の裏面側には突起６２が一体に設けられ、裏面側である複写機本体Ｓ内へ突出している。ドア６１を閉成した状態で、突起６２の先端部は加圧解除機構３０Ａを構成する受け用レバー６３に当接する。上記ドア６１を開放すれば、当然、突起６２は受け用レバー６３から離間する。
【手続補正８】
【補正対象書類名】明細書
【補正対象項目名】図面の簡単な説明
【補正方法】変更
【補正の内容】
【図面の簡単な説明】
【図１】
本発明の一実施の形態に係わる、電子複写機の概略の断面図。
【図２】
第１の実施の形態に係わる、給紙ローラと分離ローラに対する加圧解除機構の構成を示す斜視図。
【図３】
同実施の形態に係わる、加圧解除機構の構成を示す側面図。
【図４】
同実施の形態に係わる、加圧解除機構の作用を説明する図。
【図５】
第２の実施の形態に係わる、電子複写機の外観斜視図。
【図６】
同実施の形態に係わる、加圧解除機構の構成を説明する透視図。
【図７】
同実施の形態に係わる、加圧解除機構の作用を説明する図。
【図８】
同実施の形態に係わる、加圧解除機構の構成を示す斜視図。
【図９】
紙詰まりを説明する図。
【図１０】
紙詰まり時における大容量給紙装置を取外す状態を示す図。
【符号の説明】
１…像担持体（感光体ドラム）、Ｓ…装置本体（複写機本体）、１５…給紙手段（大容量給紙装置）、３０，３０Ａ…紙詰まり解除手段（加圧解除機構）、５０…給紙ローラ、５１…分離ローラ、６１…用紙補充用ドア、１６…手差し用給紙装置。
【手続補正書】
【提出日】平成17年3月9日(2005.3.9)
【手続補正１】
【補正対象書類名】明細書
【補正対象項目名】特許請求の範囲
【補正方法】変更
【補正の内容】
【特許請求の範囲】
【請求項１】
券紙格納部と、この券紙格納部から脱着可能な券紙格納箱と、磁気エンコード書き込み部、読み取り部と、印字部と、各ユニット間を経由する券紙搬送部と、これらを制御する制御装置部とを具備する自動発券装置において、前記券紙格納箱の券紙繰出部にギヤの回転と同期して回転するストッパと、ストッパの回転を阻止するスライダを設け、かつ券紙格納部に、券紙格納箱を装着時、その先端でスライダを押し込んだ後、ギヤを回転させるラックを有するキーブロックを設けたことを特徴とする自動発券装置の券紙格納箱。
【手続補正２】
【補正対象書類名】明細書
【補正対象項目名】０００３
【補正方法】変更
【補正の内容】
【０００３】
【発明が解決しようとする課題】しかしながら、従来の自動発券装置には次のような欠点があった。
券紙補充時、自動発券装置より脱着した券紙格納箱は、自動発券装置に装着時、発券指令により券紙搬送経路に券紙を投入するための券紙繰出用ローラとの接触部の切欠部と券紙幅の出口（後述する図２のＡ部）が存在する。
この切欠部と券紙幅の出口を介して残券を容易に取り出すことができる構造となっている。このことは乗車券・定期券・プリペイドカード等の券紙は金券であり、偽造券・変造券による不正が発生する可能性が十分ある。
特に近年、自動発券装置が普及し、券紙管理者が不在の場所に設置されるようになると、券紙管理者と自動発券装置のオペレータ間で券紙格納箱を宅配便等で往復させる必要が生じてきた。
本発明は上述した点に鑑みて創案されたもので、その目的とするところは、これら欠点を解決するために、券紙補充時、自動発券装置より券紙格納箱を引き出すと密閉構造となって残券を容易に取り出すことが出来ない自動発券装置の券紙格納箱を提供することにある。
【手続補正３】
【補正対象書類名】明細書
【補正対象項目名】０００４
【補正方法】変更
【補正の内容】
【０００４】
【課題を解決するための手段】つまり、その目的を達成するための手段は、券紙格納部と、券紙格納部から脱着可能な券紙格納箱と、磁気エンコード書き込み部、読み取り部と、印字部と、各ユニットを経由する券紙搬送部と、これらを制御する制御装置部とを具備する自動発券装置において、前記券紙格納箱の券紙繰出し部にギヤの回転と同期して回転するストッパと、ストッパの回転を阻止するスライダを設け、かつ券紙格納部に、券紙格納箱を装着時、その先端でスライダを押し込んだ後、ギヤを回転させるラックを有するキーブロックを設けて構成したものである。
【手続補正４】
【補正対象書類名】明細書
【補正対象項目名】０００５
【補正方法】変更
【補正の内容】
【０００５】
その作用は、図４に示す如く、券紙格納箱３が券紙格納部２に装着されている状態では、券紙格納部２のキーブロック１６が券紙格納箱３のスライダ１１を押し込むと共に、スプリング１２を圧縮する状態となり、またこれに連動してギヤ１０を回転することによりストッパ９が開状態となり、券紙繰出用ローラ４により券紙１を繰出すことが可能である。
また、券紙格納箱３を券紙格納部２から引き出す場合は、図５に示す如く、券紙を補充するために券紙格納箱３を引き出すと、キーブロック１６がギヤ１０を逆回転することにより、ストッパ９が閉状態となり、かつスプリング１２の伸張によりスライダ１１がストッパ９の回転中心よりせり出すことによりストッパ９が開状態になることを阻止する。
【手続補正５】
【補正対象書類名】明細書
【補正対象項目名】０００６
【補正方法】変更
【補正の内容】
【０００６】
以下、本発明の一実施例を図面に基いて説明する。
【発明の実施の形態】図１は本発明に係わる自動発券装置の全体像を説明するための側面図を示す。
図２および図３、図４、図５は本発明の一実施例を示す券紙格納箱の斜視図、上面図、側面図および券紙格納部への装着した状態の側面図である。
１は券紙、２は券紙格納部、３は券紙格納部から脱着可能な券紙格納箱、４は券紙繰出用ローラ、５は磁気エンコード書き込み部、６は磁気エンコード読み取り部、７は印字部、８は各ユニットを経由する券紙搬送部、９はストッパ、１０はギヤ、１１はスライダ、１２はスプリング、１３はベース、１４は鍵、１５は取手、１６はキーブロックである。
図示されてはいないが、券紙格納箱３内の券紙１の下部にはバネ機構があり、券紙格納部２へ装着状態では券紙１は常に券紙繰出用ローラ４に密着している。
【手続補正６】
【補正対象書類名】明細書
【補正対象項目名】０００８
【補正方法】変更
【補正の内容】
【０００８】
これらの部品は券紙格納箱３のカバー内に有し、外部からは見えない構造になっている。
券紙格納部２には、キーブロック１６があり、券紙格納箱３を装着しはじめるとまずキーブロック１６の先端部はスライダ１１を、ストッパ９の回転中心よりも押し込み、その後キーブロック１６のラック部１７がギヤ１０とかみ合いながらストッパ９を回転させ、券紙１は券紙格納箱３より繰出し可能となる。
券紙格納箱３を券紙格納２より脱着する場合は、上記と逆の動作によりストッパ９が締まり、券紙１が券紙格納箱３から取り出せない構造となる。
上記のような機能を多数組合わせることにより密閉性はより強固となる。
【手続補正７】
【補正対象書類名】明細書
【補正対象項目名】符号の説明
【補正方法】変更
【補正の内容】
【符号の説明】
１      券紙
２      券紙格納部
３      券紙格納箱
４      券紙繰出用ローラ
５      磁気エンコード書き込み部
６      読み取り部
７      印字部
８      券紙搬送部
９      ストッパ
１０    ギヤ
１１    スライダ
１２    スプリング
１３    ベース
１４    鍵
１５    取手
１６    キーブロック
１７ ラック部
【手続補正書】
【提出日】平成17年6月13日(2005.6.13)
【手続補正１】
【補正対象書類名】明細書
【補正対象項目名】特許請求の範囲
【補正方法】変更
【補正の内容】
【特許請求の範囲】
【請求項１】
プラズマディスプレイパネル背面ガラス基板上の電極を被覆する誘電体層に使用される組成物であって、低融点ガラス粉末および無機顔料粉末を含有し、低融点ガラスが実質的に、
ＰｂＯ＋Ｂｉ2 Ｏ3   ６０〜８５重量％、
Ｂ2 Ｏ3               ０〜１１重量％、
ＳｉＯ2             １５〜４０重量％、
からなり、低融点ガラス粉末１００重量部に対し無機顔料粉末を０．５〜４０重量部含有するプラズマディスプレイパネル背面ガラス基板誘電体層用組成物。
【請求項２】
Ｂ2 Ｏ3が７重量％以下である請求項１記載のプラズマディスプレイパネル背面ガラス基板誘電体層用組成物。
【請求項３】
無機顔料が、ＴｉＯ2 、Ａｌ2 Ｏ3 およびＺｒＯ2 からなる群から選ばれる１種以上を含む請求項１または２記載のプラズマディスプレイパネル背面ガラス基板誘電体層用組成物。
【請求項４】
焼成後の５０〜３５０℃における平均線膨張係数が７０×１０-7〜８０×１０-7／℃である請求項１、２または３記載のプラズマディスプレイパネル背面ガラス基板誘電体層用組成物。
【請求項５】
請求項１、２、３または４記載のプラズマディスプレイパネル背面ガラス基板誘電体層用組成物を用いてプラズマディスプレイパネル背面ガラス基板上の電極を被覆したプラズマディスプレイパネル。